(57)【要約】【課題】小便の前方への跳ね返りが抑制され、かつ小便受部の側壁部の内面が汚れ難い小便器を提供する。【解決手段】小便器１は、小便受部３を備えている。小便受部３は、後壁部３１と、後壁部３１の左右両端部から前方に向かってそれぞれ延び出た一対の側壁部３２，３３とを有している。後壁部３１は、後壁部３１の左右方向の中間部から前方に向かって突出した突出部３９を有している。一対の側壁部３２，３３の各々の内面３７，３８は、撥水性を有している。【選択図】図１
2018104978.tif 000002
【特許請求の範囲】
【請求項１】
小便受部を備え、
前記小便受部は、
後壁部と、
前記後壁部の左右両端部から前方に向かってそれぞれ延び出た一対の側壁部とを有し、
前記後壁部は、
前記後壁部の左右方向の中間部から前方に向かって突出した突出部を有し、
前記一対の側壁部の各々の内面は、撥水性を有していることを特徴とする小便器。
【請求項２】
前記小便受部が合成樹脂から形成されていることを特徴とする請求項１に記載の小便器。
【請求項３】
前記突出部の左右の側面の各々は、後端に近い部分ほど左右方向において前記突出部の外側に位置していることを特徴とする請求項１又は請求項２に記載の小便器。
【請求項４】
前記後壁部の前面が、下端に近い部分ほど後方に位置していることを特徴とする請求項１〜３のいずれか１項に記載の小便器。
【請求項５】
前記突出部は上下方向に一直線状に延びた突条であることを特徴とする請求項１〜４のいずれか１項に記載の小便器。
【請求項６】
前記後壁部において前記突出部よりも左側の部分及び前記突出部よりも右側の部分の各々は、前面が左右方向において前記突出部に近い部分ほど前方に位置していることを特徴とする請求項５に記載の小便器。
【請求項７】
前記小便受部は、
底部を備え、
前記後壁部は前記底部の後端部から上方に向かって延び出ており、
前記一対の側壁部は、前記底部の左右両端部からそれぞれ上方に向かって延び出ており、
前記底部は、
前記底部の内面に形成され、前記突出部に連続した突条部を有したことを特徴とする請求項６に記載の小便器。
【請求項８】
前記突出部は透光性を有し、
前記小便器は、
前記突出部の後方に配置され、前記突出部に向かって光を出す光源をさらに備えたことを特徴とする請求項１〜７のいずれか１項に記載の小便器。
【請求項９】
前記後壁部の前面において、前記突出部の色と、前記突出部を除く部分の色とが異なっていることを特徴とする請求項１〜８のいずれか１項に記載の小便器。
【発明の詳細な説明】
【技術分野】
【０００１】
本発明は小便器に関する。
【背景技術】
【０００２】
特許文献１には男性用の小便器が開示されている。この小便器の正面には、小便が衝突する衝突面が位置している。衝突面には前方に向かって突出した稜部が形成されている。稜部の水平断面形状は、小便器における下部から上部に向かって、二等辺三角形から、二等辺三角形が二つ重なった形状に変化している。この小便器にあっては、小便が稜部の左右の斜面に前方から当たったときの衝突角度が小さくなるため、小便が前方に跳ね返り難く、利用者の衣服や靴等が汚れ難い。
【先行技術文献】
【特許文献】
【０００３】
【特許文献１】特開２０１０−４７９２９号公報
【発明の概要】
【発明が解決しようとする課題】
【０００４】
ところで、小便受部の後壁部に、前述した稜部のような前方に突出する突出部が形成された場合、小便は突出部に当たった後、後壁部の前面に沿って外側方（突出部から離れる側方）に向かって流れやすい。このように後壁部の前面に沿って外側方に流れた小便は、小便受部の側壁部に至りやすい。このため、側壁部の内面は、小便によって汚れやすくなる。
【０００５】
本発明は前記事情に鑑みてなされたものであって、小便の前方への跳ね返りが抑制され、かつ小便受部の側壁部の内面が汚れ難い小便器を提供することを目的とする。
【課題を解決するための手段】
【０００６】
前記目的を達成するために本発明に係る一態様の小便器は、以下に示す特徴を有している。小便器は小便受部を備えている。前記小便受部は、後壁部と、前記後壁部の左右両端部から前方に向かってそれぞれ延び出た一対の側壁部とを有している。前記後壁部は、前記後壁部の左右方向の中間部から前方に向かって突出した突出部を有している。前記一対の側壁部の各々の内面は、撥水性を有している。
【発明の効果】
【０００７】
本発明に係る一態様の小便器は、小便の前方への跳ね返りが抑制され、かつ小便受部の側壁部の内面が汚れ難い。
【図面の簡単な説明】
【０００８】
【図１】図１は、本発明の一実施形態に係る小便器の設置状態を示した正面図である。
【図２】図２は、図１のＡ−Ａ線断面図である。
【図３】図３は、図１のＢ−Ｂ線断面図である。
【図４】図４は、図３のＣ部拡大図である。
【図５】図５は、変形例１の小便器の設置状態を示した縦断面図である。
【図６】図６は、変形例２の小便器の設置状態を示した縦断面図である。
【図７】図７は、同上の小便器の利用状態を示した正面図である。
【図８】図８は、変形例３の小便器の設置状態を示した正面図である。
【発明を実施するための形態】
【０００９】
以下に示す実施形態は、小便器に関し、詳しくは、小便受部の後壁部に、前方に向かって突出した突出部が形成された小便器に関する。
【００１０】
（実施形態）
図１に示す本実施形態の小便器１は、小便専用のストール小便器であって、床９０に設置される便器本体２を備えている。本実施形態の便器本体２は合成樹脂製であって、全体が一体に形成されている。便器本体２の材料としては、例えばアクリル樹脂が用いられる。
【００１１】
便器本体２は窪んだ小便受部３を備えている。本実施形態の小便受部３は、便器本体２の一部であり、合成樹脂製である。小便受部３は、便器本体２において床９０に立った利用者９１（図２参照）の小便を受ける部分である。
【００１２】
以下、小便器１について設置状態における便器本体２の方向を基準として説明する。具体的には、便器本体２において小便受部３の開口縁が位置する側を小便器１の前方と定め、前方から便器本体２を見て左側を左方とする。すなわち、利用者９１は、便器本体２の前方に立った状態で、小便器１を利用する。
【００１３】
図１及び図２に示すように、小便受部３は、底部３０と、後壁部３１と、左右一対の側壁部３２，３３と、天井部３４とを有している。底部３０、後壁部３１、左右一対の側壁部３２，３３及び天井部３４は、一体に形成されている。
【００１４】
図２に示すように、本実施形態の底部３０は、上方に開口した椀状に形成されている。底部３０の下端部には、小便受部３に流れ込んだ洗浄水及び小便を小便受部３から排出するための排出口３５が形成されている。
【００１５】
底部３０の後端部の上端部は、後壁部３１の下端部に繋がっている。底部３０の左右両端部の上端部は、左右一対の側壁部３２，３３の下端部にそれぞれ繋がっている。
【００１６】
後壁部３１は、底部３０の後端部から上方に向かって延び出ている。後壁部３１の前面３６は、便器本体２の前方に立った利用者９１に対向する面である。以下、後壁部３１の前面３６を対向面３６という。
【００１７】
一対の側壁部３２，３３は、底部３０の左右両端部から上方に向かってそれぞれ突出している。一対の側壁部３２，３３の後端部同士は、後壁部３１を介して繋がっており、一対の側壁部３２，３３は、後壁部３１の左右両端部から前方に向かってそれぞれ延び出ている。
【００１８】
本実施形態の各側壁部３２，３３は、図２に示すように、底部３０の後部から上方に延び出ており、底部３０の前部に対応する部分には形成されていない。このため、底部３０の前部は、一対の側壁部３２，３３よりも前方に突出している。
【００１９】
後壁部３１の上端部は、天井部３４の後端部に繋がっている。一対の側壁部３２，３３の上端部は、天井部３４の左右の側端部にそれぞれ繋がっている。天井部３４は、後壁部３１の上端部から前方に向かって突出している。
【００２０】
小便受部３の内面は、底部３０の上面、後壁部３１の前面３６（対向面３６）、各側壁部３２，３３の内面３７，３８（図３参照）及び天井部３４の下面で構成されている。ここで、各側壁部３２，３３の内面３７，３８とは、左の側壁部３２にあっては、小便受部３の内側に臨んだ右側面であり、右の側壁部３３にあっては、小便受部３の内側に臨んだ左側面である。
【００２１】
本実施形態の対向面３６は、下端に近い部分ほど後方に位置している。具体的に後壁部３１は、底部３０の後端部から前斜め上方に向かって延び出ており、対向面３６は、下端に近い部分ほど後方に位置するように鉛直方向に対して傾斜している。このため、利用者９１が小便をしたときには、対向面３６が鉛直方向と平行である場合と比較して、小便が対向面３６に対して衝突する角度θ１が、大きくなりやすく、対向面３６に当たった小便は、前方に跳ね返り難い。
【００２２】
図１に示すように、小便器１は、洗浄水を小便受部３の内面に供給する吐水部５をさらに備えている。本実施形態の吐水部５は、後壁部３１の上端部に設けられており、後壁部３１の左右方向における中央部に位置している。吐水部５は、例えばスプレッダーである。吐水部５は、洗浄水を対向面３６に沿うように下方に向かって吐出する。
【００２３】
図１〜図３に示すように、後壁部３１は、前方に向かって突出した突出部３９を有している。本実施形態では、後壁部３１の左右方向の中間部に、上下方向に一直線状に延びた突条が形成されており、この突条により突出部３９が構成されている。ここで、後壁部３１の左右方向の中間部とは、後壁部３１の左右の端部を除く部分であって、後壁部３１の左右方向における中心だけでなく、後壁部３１の左右方向における中心から左右に外れた位置も含まれる。本実施形態の突出部３９は、後壁部３１おける左右方向の中心に形成されている。本実施形態の突出部３９は、後壁部３１の上端部から下端部まで連続して延びている。
【００２４】
利用者９１が小便をするとき、突出部３９（特に突出部３９の前端）は、利用者９１にとって小便を当てる目標（的）になりやすい。このため、小便受部３においては、後壁部３１の突出部３９に小便が当たりやすい。
【００２５】
図４に示すように、本実施形態の突出部３９は、左右対称形状である。本実施形態の突出部３９の水平断面形状は、前端に近い部分ほど左右幅が小さくなる三角形状である。突出部３９の左右の側面４０，４１の各々は、後端に近い部分ほど左右方向において突出部３９の外側に位置するように、前後方向に対して傾斜している。このため、前方から側面４０，４１に対して小便が当たったときには、図４に示すように、小便が側面４０，４１に対して衝突したときの衝突角度θ２が、小さくなりやすい。従って、突出部３９に当たった小便は、前方に跳ね返り難くなる。
【００２６】
図２に示すように、本実施形態の突出部３９は、その長手方向が対向面３６に沿うように下端に近い部分ほど後方に位置するよう鉛直方向に対して傾斜している。このため、利用者９１が小便をしたときには、突出部３９の長手方向が、鉛直方向と平行である場合と比較して、突出部３９に当たった小便が、前方に跳ね返り難くなる。
【００２７】
以下では、図３に示すように、後壁部３１において、突出部３９よりも左側の部分４２を左側部分４２といい、突出部３９よりも右側の部分４３を右側部分４３という。左側部分４２の前面４４及び右側部分４３の前面４５の各々は、左右方向において突出部３９に近い部分ほど前方に位置している。すなわち、本実施形態の対向面３６は、突出部３９と、突出部３９以外の部分とで、前方に向かって２段階で突出している。
【００２８】
具体的に左側部分４２の前面４４は、突出部３９が位置する右端に近い部分ほど前方に位置するように左右方向に対して傾斜している。また、右側部分４３の前面４５は、突出部３９が位置する左端に近い部分ほど前方に位置するように左右方向に対して傾斜している。
【００２９】
このため、左側部分４２及び右側部分４３の各々の前面４４，４５に、前方から小便が当たったときには、前面４４，４５が左右方向と平行である場合と比較して、図４に示す小便の衝突角度θ３が小さくなりやすい。従って、小便が右側部分４３及び左側部分４２の各々に当たったときには、小便が前方に跳ね返り難い。
【００３０】
図３に示すように、一対の側壁部３２，３３のうち、左の側壁部３２の内面３７の後端は、左側部分４２の前面４４を介して、突出部３９の左の側面４０の後端に繋がっている。また、右の側壁部３３の内面３８の後端は、右側部分４３の前面４５を介して突出部３９の右の側面４１の後端に繋がっている。
【００３１】
本実施形態の各側壁部３２，３３の内面３７，３８は、水平断面において、前端に近い部分ほど左右方向の外側に位置している。また、本実施形態の各側壁部３２，３３の内面３７，３８は、水平断面において、左右方向の外側（突出部３９側とは反対側）に膨らんだ弧状の曲面である。
【００３２】
例えば、小便が左側部分４２の前面４４に沿って左方に流れた場合、小便が左の側壁部３２の内面３７に勢いよく当たって跳ね返り、飛散する可能性がある。ここで、側壁部３２の内面３７の形状が、前述したように、前端に近い部分ほど左右方向の外側に位置するような形状であると、内面３７が左右方向に対して直交する面である場合と比較して、内面３７に至った小便が、跳ね返り難くなる。
【００３３】
各側壁部３２，３３の内面３７，３８は、その全体が撥水性を有している。ここで、「撥水性」を有するとは、水の接触角が７０°以上であることを意味する。本実施形態では、小便器１の全体が撥水性を有する合成樹脂材料から形成されており、小便受部３の内面は、全体に亘って撥水性を有している。
【００３４】
内面３７，３８が撥水性を有するため、突出部３９に当たった小便が、対向面３６に沿って外側方（突出部３９から離れる方向）に流れて各側壁部３２，３３の内面３７，３８に至っても、各側壁部３２，３３の内面３７，３８はこの小便によって汚れ難い。
【００３５】
また、このように各側壁部３２，３３の内面３７，３８は、汚れ難いため、小便器１を、図１に示す吐水部５から吐出される洗浄水が、各側壁部３２，３３の内面３７，３８に流れないように構成することもできる。この場合、対向面３６及び内面３７，３８のうち、対向面３６にのみ洗浄水が流れるため、吐水部５から吐出される洗浄水の量を少なくしたり、汚れやすい対向面３６に多くの洗浄水を供給して対向面３６を綺麗に洗浄したりすることができる。
【００３６】
（変形例）
以下、変形例１〜３について順に説明する。なお、以下の変形例１〜３の説明では、前記実施形態と共通する構成については同一の符号を付して説明を省略する。
【００３７】
（変形例１）
まず変形例１について説明する。図５に示す本変形例の小便器１は、小便受部３の底部３０が、突出部３９に連続した突条部４６を有している。突条部４６は底部３０後部の内面における左右方向における中間部（詳しくは中心部）に形成されており、前後方向に延びている。突条部４６は底部３０の内面に形成されており、底部４６の内側に向かって突出している。
【００３８】
図示は省略するが、本変形例における突条部４６の長手方向と直交する断面形状は、突出部３９の長手方向と直交する断面形状と同じであり、突出先端に近い部分ほど左右幅が小さくなる三角形状である。
【００３９】
このように底部３０に突出部３９を延長した突条部４６が形成されることで、小便排出時の終盤において小便の飛距離が短くなる等して、小便が底部３０に落下した場合に、この小便が突条部４６の左右の側面に当たることで、当該小便の跳ね返りが抑制される。
【００４０】
また、本変形例１では、底部３０の前部にも、前後方向に延びた突条部４７が形成されている。突条部４７は、底部３０前部の左右方向における中間部に形成されており、突条部４６の延長線上に位置している。突条部４７は底部３０の内面に形成されており、底部３０の内側に向かって突出している。図示は省略するが、本変形例における突条部４７の長手方向と直交する断面形状も、突出部３９の長手方向と直交する断面形状と同じであり、突出先端に近い部分ほど左右幅が小さくなる三角形状である。本変形例では、小便が突条部４７の左右の側面に当たることでも、小便の跳ね返りが抑制される。
【００４１】
（変形例２）
次に変形例２について説明する。図６に示す本変形例の小便器１は、突出部３９の後方から突出部３９を通して突出部３９の前方に光を出す光源６をさらに備えている。
【００４２】
本変形例の小便器１は、後壁部３１において、突出部３９と、この突出部３９の後方部分とで構成された部分４８が、前後方向に光を透過可能な透光性を有している。
【００４３】
本変形例では、部分４８が、小便受部３の他部よりも光が透過しやすい透光性材料から形成されており、小便受部３において部分４８を除く残りの部分は、透光性を有していない。ここで、透光性とは、突出部３９が透明である場合は勿論、半透明である場合も含まれる。また、突出部３９は着色されていてもよいし、着色されてなくてもよい。
【００４４】
本変形例の光源６は、後壁部３１の後面に沿って上下方向に並んだ複数の発光素子６０を有している。複数の発光素子６０は、部分４８の後方に位置している。複数の発光素子６０の各々は、ＬＥＤ（Light  Emitting  Diode）で構成されている。
【００４５】
本変形例の小便器１は、後壁部３１の後面に沿って配置された回路基板７をさらに備えている。回路基板７は、例えば便器本体２に取り付けられる。複数の発光素子６０の各々は、回路基板７に実装されている。
【００４６】
前述した複数の発光素子６０の各々は、部分４８に向かって光を照射する。このため、各発光素子６０から発せられた光は、部分４８を通って突出部３９の前方に出る。このため、利用者９１が小便器１を前方から見たときには、図７に示すように、上下方向に延びる一直線状の突出部３９が発光したように見えて目立ちやすくなり、突出部３９は小便を当てる目標に一層なりやすい。
【００４７】
（変形例３）
次に変形例３について説明する。図８に示す本変形例の小便器１は、対向面３６において、突出部３９の色と、突出部３９を除く部分の色とが異なっている。なお、図８では、対向面３６において突出部３９を除く部分に付された色とは異なる色が付された部分を、クロスハッチングで示している。
【００４８】
本変形例では、対向面３６において突出部３９の全部の色が、突出部３９を除く部分の色と異なっている。
【００４９】
例えば対向面３６における突出部３９を除く部分の色としては、例えば白色が用いられ、対向面３６における突出部３９の色としては、赤色、青色、緑色、又は黒色が用いられる。本変形例では、対向面３６における突出部３９の色が、他の部分の色と異なるため、突出部３９が目立ちやすく、突出部３９は利用者９１にとって小便を当てる目標に一層なりやすい。
【００５０】
（補足）
なお、前述した実施形態と変形例１〜３における突出部３９の形状は、適宜変更可能である。例えば、突出部３９の左右の側面４０，４１の各々は、弧状に湾曲することで、後端に近い部分ほど左右方向において突出部３９の外側に位置してもよい。
【００５１】
また、突出部３９の水平断面形状は、例えば半円状、台形状、又は矩形状であってもよい。また、突出部３９は、上述したように直線状に連続した突条に限らず、例えば上下方向に並べて形成された複数の突起で構成されてもよい。
【００５２】
また、前述した実施形態と変形例１〜３における小便器１は、小便受部３の内面の全体が撥水性を有しているが、各側壁部３２，３３の内面３７，３８のみが撥水性を有していてもよい。すなわち、小便器１は、少なくとも各側壁部３２，３３の内面３７，３８が撥水性を有していればよい。また、各側壁部３２，３３の内面３７，３８は、例えば、撥水性を有するコーティング剤を施すことにより、撥水性を付与してもよい。また、各側壁部３２，３３の内面３７，３８は、小便受部３の形状又は使用環境等に応じて、水の接触角が９０°以上の撥水性を有していてもよい。さらに各側壁部３２，３３の内面３７，３８は、水の接触角が１２０°以上の強撥水性を有していてもよいし、水の接触角が１５０°以上の超撥水性を有していてもよい。
【００５３】
また、前述した実施形態と変形例１〜３における小便器１の左側部分４２の前面４４及び右側部分４３の前面４５の各々は、左右方向と平行な平面であってもよい。すなわち、この場合、対向面３６は、突出部３９の左右の側面４０，４１で傾斜するが、突出部３９を除く部分では、左右方向と平行な平面となり、対向面３６は、突出部３９でのみ前方に向かって突出することとなる。
【００５４】
また、対向面３６は、下端に近い部分ほど後方に位置するように湾曲してもよい。また、対向面３６は、鉛直方向と平行であってもよい。
【００５５】
また、小便受部３の左右の側壁部３２，３３の内面３７，３８の各々は、前端に近い部分ほど左右方向の外側に位置するように前後方向に対して傾斜した平坦な面であってもよい。
【００５６】
また、小便受部３の左右の側壁部３２，３３の内面３７，３８は、左右方向に対して直交した平坦な面であってもよい。
【００５７】
また、便器本体２は、小便受部３のみ、あるいは一対の側壁部３２，３３のみが、合成樹脂製であって、他部は合成樹脂以外のその他の材料から形成されてもよい。また、便器本体２は、アクリル樹脂以外の合成樹脂材料から形成されてもよく、例えばポリカーボネートから形成されてもよい。また、便器本体２は、合成樹脂製に限らず、例えば陶器製であってもよい。
【００５８】
また、変形例２の光源６は、単一の発光素子６０で構成されてもよい。また、変形例２の発光素子６０は、半導体レーザ等の半導体発光素子、有機ＥＬ（Electroluminescence）素子等のＬＥＤ以外の発光素子であってもよい。
【００５９】
また、変形例２の小便器１は、例えば水平断面三角形状の突出部３９において、稜線が存在する左右方向の中心部のみから前方に光が出るように構成されてもよい。すなわち、変形例２の小便器１は、光源６から発した光が、少なくとも突出部３９の一部から前方に光が出るように構成されていればよい。
【００６０】
また、変形例２の小便器１にあっては、例えば後壁部３１において突出部３９の後方に位置する部分に光源６を内蔵し、この光源６から突出部３９を通して突出部３９の前方に光が出るように構成されてもよい。
【００６１】
また、変形例３では、対向面３６において突出部３９の一部のみの色と、当該部分を除く残りの部分の色とを異なる色としてもよい。例えば、対向面３６において水平断面三角形状の突出部３９において稜線が存在する左右方向の中心部のみが、当該部分を除く残りの部分の色と異なる色であってもよい。すなわち、変形例３の小便器１は、対向面３６において、少なくとも突出部３９の一部の色が、当該部分を除く残りの部分の色と異なっていればよい。
【００６２】
また、便器本体２は、例えば壁に固定されて床９０から上方に離間した状態で設けられるように構成されてもよい。
【００６３】
また、変形例１〜３に記載の構成は、適宜組み合わせてもよい。例えば、変形例１又は変形例３の突出部３９を、変形例２のように透光性を有する突出部３９とし、この突出部３９の後方に突出部３９に対して光を発する光源６を設けてもよい。また、変形例３の小便器１に、変形例１の突条部４６を設けてもよい。また、この他、前述した実施形態及び変形例１〜３の小便器１は、適宜設計変更可能である。
【００６４】
（効果）
以下、前記実施形態及び変形例１〜３に示した小便器１の効果について説明する。
【００６５】
前記実施形態及び変形例１〜３の小便器１は、以下に示す特徴を有している。小便器１は、小便受部３を備えている。小便受部３は、後壁部３１と、後壁部３１の左右両端部から前方に向かってそれぞれ延び出た一対の側壁部３２，３３とを有している。後壁部３１は、後壁部３１の左右方向の中間部から前方に向かって突出した突出部３９を有している。一対の側壁部３２，３３の各々の内面３７，３８は、撥水性を有している。以下、この小便器１を、第１の態様の小便器１という。
【００６６】
第１の態様の小便器１は、突出部３９が小便を当てる目標になりやすい。また、突出部３９の左右の側面４０，４１に対して前方から当たった小便は、前方に跳ね返り難いため、利用者９１の衣服や靴等が汚れることが抑制される。また、各側壁部３２，３３の内面３７，３８は、撥水性を有している。このため、突出部３９に当たった後、後壁部３１の前面３６に沿って外側方に流れた小便が、側壁部３２，３３の内面３７，３８に至ったとしても、側壁部３２，３３の内面３７，３８が汚れにくい。
【００６７】
また、前記実施形態及び変形例１〜３の小便器１は、第１の態様の小便器１が有する特徴に加えて、以下に示す付加的な特徴を有している。小便受部３が合成樹脂から形成されている。以下、この小便器１を第２の態様の小便器１という。
【００６８】
第２の態様の小便器１にあっては、小便受部３が合成樹脂から形成されるため、各側壁部３２，３３の内面３７，３８を容易に撥水性を有する面にすることができる。
【００６９】
また、前記実施形態及び変形例１〜３の小便器１は、第１又は第２の態様の小便器１が有する特徴に加えて、以下に示す付加的な特徴を有している。突出部３９の左右の側面４０，４１の各々は、後端に近い部分ほど左右方向において突出部３９の外側に位置している。以下、この小便器１を第３の態様の小便器１という。
【００７０】
第３の態様の小便器１にあっては、突出部３９の各側面４０，４１が後端に近い部分ほど左右方向において突出部３９の外側に位置するので、突出部３９の各側面４０，４１に当たった小便は、前方に一層跳ね返り難くなる。
【００７１】
また、前記実施形態及び変形例１〜３の小便器１は、第１〜第３のいずれかの態様の小便器１が有する特徴に加えて、以下に示す付加的な特徴を有している。後壁部３１の前面３６が、下端に近い部分ほど後方に位置している。以下、この小便器１を第４の態様の小便器１という。
【００７２】
第４の態様の小便器１にあっては、後壁部３１の前面３６が、下端に近い部分ほど後方に位置するので、後壁部３１の前面３６に当たった小便は、前方に跳ね返り難くなる。
【００７３】
また、前記実施形態及び変形例１〜３の小便器１は、第１〜第４のいずれかの態様の小便器１が有する特徴に加えて、以下に示す付加的な特徴を有している。突出部３９は上下方向に一直線状に延びた突条である。以下、この小便器１を第５の態様の小便器１という。
【００７４】
第５の態様の小便器１にあっては、利用者９１の身長等の違いにより、後壁部３１に対して小便が放出される高さが異なったとしても、小便が突出部３９に当たりやすくなる。このため、小便は前方に一層跳ね返り難くなる。
【００７５】
また、前記実施形態及び変形例１〜３の小便器１は、第５の態様の小便器１が有する特徴に加えて、以下に示す付加的な特徴を有している。後壁部３１において突出部３９よりも左側の部分４２及び突出部３９よりも右側の部分４３の各々は、前面４４，４５が左右方向において突出部３９に近い部分ほど前方に位置している。以下、この小便器１を第６の態様の小便器１という。
【００７６】
第６の態様の小便器１にあっては、後壁部３１において突出部３９よりも左側の部分４２及び突出部３９よりも右側の部分４３の各々の前面４４，４５に前方から当たった小便が、前方に跳ね返り難くなる。
【００７７】
また、変形例１の小便器１は、第６の態様の小便器１が有する特徴に加えて、以下に示す付加的な特徴を有している。小便受部３は、底部３０を備えている。後壁部３１は底部３０の後端部から上方に向かって延び出ている。一対の側壁部３２，３３は、底部３０の左右両端部からそれぞれ上方に向かって延び出ている。底部３０は、底部３０の内面に形成され、突出部３９に連続した突条部４６を有している。以下、この小便器１を第７の態様の小便器１という。
【００７８】
第７の態様の小便器１にあっては、小便が底部３０に落下した場合に、この小便が突条部４６の左右の側面に当たることで、当該小便の跳ね返りが抑制される。
【００７９】
また、変形例２の小便器１は、第１〜第７の態様の小便器１が有する特徴に加えて、以下に示す付加的な特徴を有している。突出部３９は透光性を有している。小便器１は、突出部３９の後方に配置され、突出部３９に向かって光を出す光源６をさらに備えている。以下、この小便器１を第８の態様の小便器１という。
【００８０】
第８の態様の小便器１にあっては、光源６から発せられた光が、突出部３９を通して突出部３９の前方に出る。このため、突出部３９が目立ちやすくなり、突出部３９は小便を当てる目標に一層なりやすい。
【００８１】
また、変形例３の小便器１は、第１〜第８のいずれかの態様の小便器１が有する特徴に加えて、以下に示す付加的な特徴を有している。後壁部３１の前面３６において、突出部３９の色と、突出部３９を除く部分の色とが異なっている。以下、この小便器１を第９の態様の小便器１という。
【００８２】
第９の態様の小便器１にあっては、後壁部３１において突出部３９が目立ちやすくなり、突出部３９が小便を当てる目標に一層なりやすい。
【符号の説明】
【００８３】
１  小便器
３  小便受部
３０  底部
３１  後壁部
３２  左の側壁部
３３  右の側壁部
３６  後壁部の前面
３７  左の側壁部の内面
３８  右の側壁部の内面
３９  突出部
４０  突出部の左側面
４１  突出部の右側面
４２  後壁部の突出部よりも左側の部分
４３  後壁部の突出部よりも右側の部分
４４  後壁部の突出部よりも左側の部分の前面
４５  後壁部の突出部よりも右側の部分の前面
４６  突条部
【図１】
2018104978.tif 000003
【図２】
2018104978.tif 000004
【図３】
2018104978.tif 000005
【図４】
2018104978.tif 000006
【図５】
2018104978.tif 000007
【図６】
2018104978.tif 000008
【図７】
2018104978.tif 000009
【図８】
2018104978.tif 000010